(57)【要約】【課題】従来の画像表示システムでは、総ての視聴者に見やすい画面を提供することが困難になる場合があった。【解決手段】プレゼンタが操作するコンピュータから送信される画像をプロジェクタで投影するとともに同プロジェクタでの投影画像を視聴者が視認できるようにするに際して上記プロジェクタにて上記プレゼンタが操作するコンピュータが送信する画像データを双方向通信を介して受信し、同受信した画像データが示す画像を投影するとともに当該受信した画像データを視聴者が操作するクライアントコンピュータに対して双方向通信を介して送信し、上記クライアントコンピュータにて上記送信された画像データを双方向通信を介して受信し、同受信した画像データが示す画像を画面上に表示する。【選択図】  図１
2004287160.tif 000002
【特許請求の範囲】
【請求項１】
プレゼンタが操作するコンピュータから送信される画像をプロジェクタで投影するとともに同プロジェクタでの投影画像を視聴者が視認できるようにする画像表示システムであって、
上記プロジェクタは、
外部コンピュータと双方向通信を行うプロジェクタ通信制御手段と、
同プロジェクタ通信制御手段を介して上記プレゼンタが操作するコンピュータが送信する画像データを受信するプロジェクタ画像データ受信手段と、
同受信した画像データが示す画像を投影する投影手段と、
上記プロジェクタ通信制御手段を介して上記受信した画像データを視聴者が操作するクライアントコンピュータに送信する画像データ送信手段とを備え、
上記クライアントコンピュータは、
上記プロジェクタと双方向通信を行うクライアント通信制御手段と、
同クライアント通信制御手段を介して上記送信された画像データを取得するクライアント画像データ受信手段と、
同受信した画像データが示す画像を画面上に表示する表示手段とを備えることを特徴とする画像表示システム。
【請求項２】
上記プロジェクタ通信制御手段は上記プレゼンタが操作するコンピュータと双方向通信を行って当該コンピュータが送信する上記画像データの配信可否を示すデータを受信し、上記画像データ送信手段は上記画像データの配信許可を示すデータを受信しているときに当該画像データを上記クライアントコンピュータに送信することを特徴とする上記請求項１に記載の画像表示システム。
【請求項３】
上記画像データ受信手段は上記クライアント通信制御手段を介して上記プロジェクタに対する接続要求を行い、上記画像データ送信手段は上記画像データの配信許可を示すデータを受信しているときに上記プロジェクタ通信制御手段を介して上記接続要求に対して接続許可を行って上記画像データを送信することを特徴とする上記請求項２に記載の画像表示システム。
【請求項４】
上記画像データ受信手段は上記プロジェクタの投影画像の視聴者のみが視認できるパスワードの入力を受け付けるパスワード入力部を備え、上記接続要求の際に当該受け付けたパスワードを送信し、上記画像データ送信手段は当該送信されるパスワードを受信して正規のパスワードであるか否かを判別するパスワード判別部を備えており正規のパスワードであると判別されたときに上記画像データを送信することを特徴とする上記請求項３に記載の画像表示システム。
【請求項５】
上記画像データ送信手段は上記受信した画像データをそのまま上記クライアントコンピュータに送信し、上記表示手段は上記投影手段と同じアルゴリズムによって画像データを展開して画像を画面上に表示することを特徴とする上記請求項１〜請求項４のいずれかに記載の画像表示システム。
【請求項６】
プレゼンタが操作するコンピュータから送信される画像を投影するとともに同投影画像を視聴者が視認できるようにするプロジェクタであって、
外部コンピュータと双方向通信を行うプロジェクタ通信制御手段と、
同プロジェクタ通信制御手段を介して上記プレゼンタが操作するコンピュータが送信する画像データを受信するプロジェクタ画像データ受信手段と、
同受信した画像データが示す画像を投影する投影手段と、
上記プロジェクタ通信制御手段を介して上記受信した画像データを視聴者が操作するクライアントコンピュータに送信する画像データ送信手段とを備えることを特徴とするプロジェクタ。
【請求項７】
プレゼンタが操作するコンピュータから送信される画像をプロジェクタで投影するとともに同プロジェクタでの投影画像を視聴者が視認できるようにする画像表示方法であって、
上記プロジェクタにて、上記プレゼンタが操作するコンピュータが送信する画像データを双方向通信を介して受信し、同受信した画像データが示す画像を投影するとともに当該受信した画像データを視聴者が操作するクライアントコンピュータに対して双方向通信を介して送信し、
上記クライアントコンピュータにて上記送信された画像データを双方向通信を介して受信し、同受信した画像データが示す画像を画面上に表示することを特徴とする画像表示方法。
【請求項８】
プレゼンタが操作するコンピュータから送信される画像を投影するとともに同投影画像を視聴者が視認できるようにするプロジェクタ制御方法であって、
上記プレゼンタが操作するコンピュータが送信する画像データを双方向通信を介して受信し、同受信した画像データが示す画像を投影するとともに当該受信した画像データを視聴者が操作するクライアントコンピュータに対して双方向通信を介して送信することを特徴とするプロジェクタ制御方法。
【請求項９】
プレゼンタが操作するコンピュータから送信される画像をプロジェクタで投影するとともに同プロジェクタでの投影画像を視聴者が視認できるようにする画像表示プログラムであって、
上記プロジェクタに、
外部コンピュータと双方向通信を行うプロジェクタ通信制御機能と、
同プロジェクタ通信制御機能を介して上記プレゼンタが操作するコンピュータが送信する画像データを受信するプロジェクタ画像データ受信機能と、
同受信した画像データが示す画像を投影する投影機能と、
上記プロジェクタ通信制御機能を介して上記受信した画像データを視聴者が操作するクライアントコンピュータに送信する画像データ送信機能とを実現させ、
上記クライアントコンピュータに、
上記プロジェクタと双方向通信を行うクライアント通信制御機能と、
同クライアント通信制御機能を介して上記送信された画像データを取得するクライアント画像データ受信機能と、
同受信した画像データが示す画像を画面上に表示する表示機能とを実現させることを特徴とする画像表示プログラム。
【請求項１０】
プレゼンタが操作するコンピュータから送信される画像を投影するとともに同投影画像を視聴者が視認できるようにするプロジェクタ制御プログラムであって、
外部コンピュータと双方向通信を行うプロジェクタ通信制御機能と、
同プロジェクタ通信制御機能を介して上記プレゼンタが操作するコンピュータが送信する画像データを受信するプロジェクタ画像データ受信機能と、
同受信した画像データが示す画像を投影する投影機能と、
上記プロジェクタ通信制御機能を介して上記受信した画像データを視聴者が操作するクライアントコンピュータに送信する画像データ送信機能とをプロジェクタの制御コンピュータに実現させることを特徴とするプロジェクタ制御プログラム。
【発明の詳細な説明】
【０００１】
【発明の属する技術分野】
本発明は、画像表示システム、プロジェクタ、画像表示方法、プロジェクタ制御方法、画像表示プログラムおよびプロジェクタ制御プログラムに関する。
【０００２】
【従来の技術】
従来、この種の画像表示システムにおいては、ネットワークを介してプレゼンタが操作するコンピュータをプロジェクタに接続し、当該コンピュータの画面を示す画像データをプロジェクタに送信してプロジェクタが当該画面をスクリーンに投影していた。（例えば、特許文献１参照）
【０００３】
【特許文献１】
特開２００１−１４１３５号公報
【０００４】
【発明が解決しようとする課題】
上述した従来の画像表示システムでは、総ての視聴者に見やすい画面を提供することが困難になる場合があった。すなわち、大きなプレゼンテーション会場においてはスクリーンから遠い位置にいる視聴者がスクリーンを見づらいことが多く、特に、文字や図が小さい場合には視聴者がプレゼンテーションに集中できないなどの不都合が生じる。
本発明は、上記課題にかんがみてなされたもので、視聴者に見やすい画面を提供することが可能な画像表示システム、プロジェクタ、画像表示方法、プロジェクタ制御方法、画像表示プログラムおよびプロジェクタ制御プログラムの提供を目的とする。
【０００５】
【課題を解決するための手段および発明の効果】
上記目的を達成するため、本発明ではプレゼンタが操作するコンピュータが送信する画像データを視聴者が操作するクライアントコンピュータに送信する。この画像データはプロジェクタの投影画像を示すデータであるので、クライアントコンピュータによってこの画像データが示す画像を表示することによって、視聴者は投影画像を手元のクライアントコンピュータの画面上で視認することができる。従って、プロジェクタの投影スクリーンから遠い，投影会場が広いなどの原因により視聴者が投影画像を視認しにくい場所にいたとしても視聴者は画像を手元で確実に視聴することができる。
【０００６】
ここで、プレゼンタが操作するコンピュータは投影画像を示す画像データを送信することができればよいが、プレゼンタがプレゼンテーションをする際に使用するコンピュータであることが好ましく、この意味で、プレゼンタの操作（マウスポインタの操作等）を含めたコンピュータの画面を表示させるための画像データを送信することが好ましい。画像データの形式としては特に限定されることはなく、映像信号やＲＧＢの信号、ＭＰＥＧ等の圧縮データ等種々の態様を採用可能である。
【０００７】
プロジェクタ通信制御手およびクライアント通信制御部においては上記プレゼンタが操作するコンピュータおよび視聴者が操作得るクライアントコンピュータを双方向通信可能に接続できれば良く、通信線やプロトコル，規格等は限定されない。例えば、有線ネットワーク，無線ネットワークのいずれでも良いし、ＴＣＰ，ＵＤＰ等種々のプロトコルを採用可能であるし、イーサネット（イーサネットは富士ゼロックス株式会社の登録商標）の各規格やＩＥＥＥ１３９４，ＵＳＢ等種々の規格であっても実現可能である。
【０００８】
投影手段では画像データが示す画像を投影することができれば良く、画像データが示す画像をスクリーン上に表示することができればよい。従って、画像データが圧縮等されているときにはその展開を行って画像を表示する。画像データ送信部は上記受信した画像データをクライアントコンピュータに対して転送するが、画像データから画像を表示するための画像処理（例えば展開等）を行ってから画像データを転送すると、画像データの容量が大きくなるし、展開等の処理に負荷がかかるため転送までに時間を要する。
【０００９】
従って、画像データ送信手段では上記受信した画像データをそのまま転送するのが好ましい。また、この画像データをプロジェクタからクライアントコンピュータに対して転送することにより、複数台のクライアントコンピュータに対する画像データの送信について上記プレゼンタが操作するコンピュータが関与する必要はなく、通信制御の負荷はプロジェクタ単体に対するもののみである。プレゼンタが操作するコンピュータではプレゼンタが各種説明の際に種々の操作等を実行するので、よけいな負荷を抑えることによって、低スペックのコンピュータでも快適にプレゼンテーションを行うことが可能である。
【００１０】
クライアントコンピュータの表示手段においては、プロジェクタから受信した画像データが示す画像を画面上に表示可能であれば良く、プロジェクタにおいて上述の画像処理や展開等を実施するのであれば、同じアルゴリズムで画像処理や展開等を実施するのが好ましい。この結果、プロジェクタの投影画像と同様の画像をクライアントコンピュータの画面上に表示することができる。尚、クライアントコンピュータにおいてハードディスクやＲＡＭ等に画像データを蓄積しておけば、視聴者が任意の段階でプレゼンテーションの画像を見直すことができるし、プレゼンテーションの進行速度についていけなくなったときに一時停止をするとともに任意の段階で画像進行を再開することも可能になり、より便利な機能を提供することができる。
【００１１】
以上のように、本発明においてはプロジェクタが投影画像を示す画像データをクライアントコンピュータに対して転送することによりクライアントコンピュータにて画像を視認可能にしているが、プレゼンテーションの内容やプレゼンタの意図によってクライアントコンピュータでの視認を禁止したい場合もある。この場合に好適な構成例として、プレゼンタが操作するコンピュータから上記画像データの配信可否を示すデータを送信し、プロジェクタの画像データ送信手段においてはこの配信可否を示すデータに従って上記画像の送信可否を決定する構成を採用可能である。配信可能とされているときには、プロジェクタに対して接続要求を行った総てのクライアントコンピュータに対して接続許可を行って、画像データを送信する構成を採用可能である。
【００１２】
すなわち、配信可否を示すデータをプレゼンタが操作するコンピュータから取得する構成にすることにより、プレゼンタの意図通りに配信の許可と不許可とを決定することができる。また、配信可否を示すデータによって画像データ配信の許可あるいは不許可それ自体を決定することができるので、このデータのみによって複数のクライアントコンピュータに対して配信するか否かを決定することができ、複数のクライアントコンピュータのそれぞれに対する許可および不許可を制御する必要が無く、非常に単純な処理によって配信の可否を制御することができる。
【００１３】
このような配信可否の制御はプレゼンテーション会場での画像データ配信において特に便利である。すなわち、プレゼンテーション会場では通常多数の視聴者が画像を実際に視聴しているので、各クライアントコンピュータに対する配信の許可および不許可を考えることがそもそも無意味であることが多い。従って、プレゼンタ側で配信許可および不許可のイニシアチブを持つ構成にすることで配信可否の制御は充分である場合が多い。
【００１４】
また、配信可否を示すデータを送信するための構成は種々の態様を採用可能であり、プレゼンタが予め配信可否を登録しておけば、プロジェクタからの問い合わせに対してプレゼンタが操作するコンピュータから自動で配信可否を示すデータが送信されるように構成しても良い。他にも、プロジェクタから配信可否の問い合わせがあったときにプレゼンタが操作するコンピュータの画面上に配信可否を問い合わせるポップアップメニューを表示させるなど、種々の構成を採用可能である。
【００１５】
さらに、配信可否を制御する構成例として、クライアントコンピュータにて入力されるパスワードを利用する構成を採用することも可能である。すなわち、画像データ受信手段によって上記プロジェクタの投影画像の視聴者のみが視認できるパスワードの入力を受け付け、クライアントコンピュータからプロジェクタに対して接続要求を行う際にパスワードを送信する。そして、プロジェクタ側の画像データ送信手段で当該送信されるパスワードを受信し、パスワード判別部によって正規のパスワードであるか否かを判別すれば、正規のパスワードが入力されたクライアントコンピュータに対してのみ画像データを送信するようにすることができる。
【００１６】
この場合、複数のクライアントコンピュータのそれぞれに対して画像データを配信するか否かを決定することが可能である。また、ここでのパスワードはプロジェクタの投影画像の視聴者のみが視認できるパスワードであるので、配信先をプロジェクタの投影画像の視聴者が操作するクライアントコンピュータのみに限定することができる。プロジェクタの投影画像の視聴者のみが視認できるパスワードとしては種々のパスワードを採用可能であり、例えば、プロジェクタの投影画像内にパスワードを記述しておく構成を採用可能である。この構成によれば、プレゼンタがプレゼンテーションを行っている会場内にいる視聴者が操作するクライアントコンピュータに対してのみ画像データを配信するよう構成することができる。他にもプレゼンテーション会場内に入場中の視聴者のみにパスワードを記載したチケットを配布するなど、種々の構成を採用可能である。
【００１７】
ここで、上述した画像表示システムでは、プロジェクタおよびクライアントコンピュータにて時系列に所定の工程を実施する方法によっても機能することは言うまでもない。従って、請求項７に記載の発明のように画像表示方法としても発明を構成するし、請求項８に記載の発明のようにプロジェクタ制御方法としても発明を構成するし、請求項２〜請求項５に対応した構成にすることも可能である。また、このような画像表示システムは単独で存在する場合もあるし、ある機器に組み込まれた状態で利用されることもあるなど、発明の思想としてはこれに限らず、各種の態様を含むものである。従って、ソフトウェアであったりハードウェアであったりするなど、適宜、変更可能である。
【００１８】
発明の思想の具現化例として画像表示システムやプロジェクタの制御ソフトウェアとなる場合には、かかる機能を実現するプログラムが当然に存在する。請求項９，請求項１０にかかる発明は、プロジェクタおよびクライアントコンピュータにおいて実行されることによって、上述してきた機能を実現する画像表示プログラムおよびプロジェクタ制御プログラムである。むろん、ここでも請求項２〜請求項５に対応した構成にすることが可能である。
【００１９】
【発明の実施の形態】
ここでは、下記の順序に従って本発明の実施形態について説明する。
（１）画像表示システムの構成：
（２）プレゼンタＰＣでの処理：
（３）プロジェクタでの処理：
（４）クライアントＰＣでの処理：
（５）他の実施形態：
【００２０】
（１）画像表示システムの構成：
図１は、本発明にかかる画像表示システムの構成図である。同図において、画像表示システム１０は、プレゼンタＰＣ２０とプロジェクタ３０と複数のクライアントＰＣ４０とを備えており、プレゼンタＰＣ２０とプロジェクタ３０とクライアントＰＣ４０とはＵＴＰケーブルを介してＬＡＮを形成しており、互いに通信可能である。プロジェクタ３０はプレゼンタＰＣ２０が出力する画像データを取得してその画像を投影する。また、プロジェクタ３０は画像データの配信が可能との設定がなされているときに上記取得した画像データをそのままクライアントＰＣ４０に送信する。クライアントＰＣ４０は、プロジェクタ３０が出力する画像データを取得して自身の画面に表示する。
【００２１】
また、プレゼンタＰＣ２０とプロジェクタ３０とクライアントＰＣ４０とはＴＣＰプロトコルによって相互通信しており、互いにパケットを授受してコネクションを確立し、各画像データは必要に応じてパケットに分割されて送信される。図１においては、プレゼンタＰＣ２０とプロジェクタ３０およびクライアントＰＣ４０の一つについてその構成をブロック図に示しているが、複数のクライアントＰＣ４０は同図に示す構成と同様の構成によって実現可能である。
【００２２】
プレゼンタＰＣ２０およびクライアントＰＣ４０としては汎用的なコンピュータを採用可能であり、所定のＯＳの制御下において所定のＩ／Ｆや記録媒体等を制御し、所定のプログラムを実行可能である。本発明にかかる画像表示システムを構成するためにプレゼンタＰＣ２０は、ネットワークＩ／Ｆ２１と通信制御部２２と送信制御プログラム２３とハードディスクドライブ（ＨＤＤ）２４とプレゼンテーションプログラム２５と表示部２６と入力装置制御部２７とを備えている。
【００２３】
プレゼンタＰＣ２０はプレゼンタが操作するＰＣであり、プロジェクタ３０を利用してプレゼンテーションを実施する際にプレゼンテーションプログラム２５を起動する。プレゼンテーションプログラム２５は、予め作成されＨＤＤ２４に保存されたプレゼンテーションデータ２４ａを読み出し、表示部２６に画像データを出力することによってプレゼンテーション画面を所定の順序あるいは任意の順序で表示するプログラムである。
【００２４】
すなわち、表示部２６は図示しない液晶ディスプレイ等の表示装置に対する画像表示を制御し、入力装置制御部２７はマウス２７ａ等の操作入力を受け付けて入力操作内容を示すデータをプレゼンテーションプログラム２５に出力する。プレゼンテーションプログラム２５はこの入力装置制御部２７からのデータに応じて表示部２６上でプレゼンテーション画面を切り替えたり、マウスポインタを移動させるなどの処理を行っている。
【００２５】
送信制御プログラム２３はこのプレゼンテーションプログラム２５実行下において起動され、上述の表示部２６上のプレゼンテーション画面と同等の画面をプロジェクタ３０によって投影させるため、当該プレゼンテーション画面の画像を示す画像データの送信制御を行う。また、プレゼンタＰＣ２０では、ネットワークＩ／Ｆ２１と通信制御部２２とによって双方向通信を実現している。すなわち、通信制御部２２は送信制御プログラム２３から受け渡される画像データを必要に応じてパケットに分割し、適切な宛先を示すデータを付加するなどの処理を行ってネットワークＩ／Ｆ２１を介して出力する。尚、この画像データの送信時には、ネットワークの通信速度やセキュリティ確保のためにデータの圧縮処理や暗号化処理を実施しても良い。
【００２６】
また、送信制御プログラム２３は配信可否設定部２３ａを備えており、当該配信可否設定部２３ａの制御によって上記表示部２６と入力装置制御部２７とで図示しないＵＩを形成し、クライアントＰＣ４０に対する配信を許可するか否かをプレゼンタの意志によって設定することが可能である。この設定内容を示すデータはＨＤＤ２４に保存され、任意の段階で参照可能である。むろん、プロジェクタ３０と通信を確立するときなどにＵＩにてポップアップメニューを表示させ、プレゼンタに配信可能であるか否かを設定させても良く、種々の構成を採用可能である。
【００２７】
プロジェクタ３０においても、所定のＯＳの制御下において所定のＩ／Ｆや記録媒体等を制御し、所定のプログラムを実行可能である。本発明にかかる画像表示システムを構成するためにプロジェクタ３０は、ネットワークＩ／Ｆ３１と通信制御部３２とプロジェクタ制御プログラム３３と投影制御部３４と投影部３５とを備えている。プロジェクタ３０ではネットワークＩ／Ｆ３１と通信制御部３２とによって双方向通信を実現しており、通信制御部３２はネットワークＩ／Ｆ３１を介して受信するパケットをそのヘッダに基づいて結合して画像データを生成するとともにプロジェクタ制御プログラム３３に受け渡す。また、プロジェクタ制御プログラム３３から受け渡される画像データを必要に応じてパケットに分割し、適切な宛先を示すデータを付加するなどの処理を行ってネットワークＩ／Ｆ３１を介して出力する。
【００２８】
プロジェクタ制御プログラム３３は、上記画像データの送受信と受信した画像データに基づく画像投影の制御を行う。画像データの送受信においては、受信した画像データをクライアントＰＣ４０に対して送信可能であるか否かの判断や接続対象となるクライアントＰＣ４０との双方向通信の制御を行う。また、画像投影に際してプロジェクタ制御プログラム３３は、投影制御部３４を起動して上記受信した画像データを受け渡す。投影制御部３４は受信した画像データを処理し、投影部３５における画像投影を制御する。
【００２９】
すなわち、投影制御部３４は、上記受信した画像データを処理し、投影部３５に供給して画像を形成するためのデータを生成する。上記圧縮処理や暗号化処理が施されている場合には、このデータを展開する。投影部３５は図示しないレンズを介して外部のスクリーンにＲＧＢ３色の光を投影して画像を形成する機構を備えており、上記処理後のデータによってＲＧＢ各色の画素毎に光を発生してスクリーン上に画像を形成する。
【００３０】
クライアントＰＣ４０においても、所定のＯＳの制御下において所定のＩ／Ｆや記録媒体等を制御し、所定のプログラムを実行可能である。本発明にかかる画像表示システムを構成するためにクライアントＰＣ４０は、ネットワークＩ／Ｆ４１と通信制御部４２と受信制御プログラム４３と表示制御部４４と表示部４５とを備えている。クライアントＰＣ４０ではネットワークＩ／Ｆ４１と通信制御部４２とによって双方向通信を実現しており、通信制御部４２はネットワークＩ／Ｆ４１を介して受信するパケットをそのヘッダに基づいて結合して画像データを生成するとともに受信制御プログラム４３に受け渡す。
【００３１】
受信制御プログラム４３は、上記画像データの送受信と受信した画像データに基づく画像表示の制御を行う。画像データの送受信においては、接続対象となるプロジェクタ３０との双方向通信を制御する。また、画像表示に際して受信制御プログラム４３は、表示制御部４４を起動して上記受信した画像データを受け渡す。表示制御部４４は受信した画像データを処理し、表示部４５における画像表示を制御する。すなわち、表示制御部４４は、上記受信した画像データを処理し、表示部４５に供給して画像を形成するためのデータを生成する。表示部４５は図示しない液晶ディスプレイ等の表示装置等を備えており、上記処理後のデータによってＲＧＢ各色の画素を発光させ、画面上に画像を形成する。
【００３２】
尚、上記表示制御部４４での処理は上記投影制御部３４と同等の処理である。上記圧縮処理や暗号化処理が施されている場合には、上記投影制御部３４と同様のアルゴリズムによってこのデータを展開する。プロジェクタ３０とクライアントＰＣ４０とでは、画像の表示対象がスクリーンへの投影と画面上への表示である点で異なっているので、投影制御部３４と表示制御部４４とではこれらの機構で画像を表示させるために各部を駆動する際の駆動手法が異なっている。しかし、本実施形態においては、画像をＲＧＢの各色成分の画素で表現する意味で共通しており、画像データへの処理としては同様の処理で済む。従って、プロジェクタ３０とクライアントＰＣ４０とに搭載するモジュールに共通部分が多く、容易に本発明にかかるシステムを形成することができる。
【００３３】
（２）プレゼンタＰＣでの処理：
以下、上記構成における処理および動作を説明する。まず、プレゼンタＰＣ２０における送信制御プログラム２３の処理を図２に示すフローチャートに従って詳述する。本実施形態においてプレゼンタＰＣ２０は、プロジェクタ３０と通信を行い、クライアントＰＣ４０とは通信を行わない。ステップＳ１００では、送信制御プログラム２３が通信制御部２２に対してプロジェクタ３０に対する接続要求を行う。このとき通信制御部２２はネットワークＩ／Ｆ２１を介して接続要求を示すパケットを送信する。ステップＳ１１０では通信制御部２２を介してネットワークＩ／Ｆ２１を監視し、プロジェクタ３０から接続許可を示すパケットが送信されたか否かを判別する。
【００３４】
通信制御部２２が接続許可を示すパケットを受信したら、ステップＳ１１０にて送信制御プログラム２３が接続許可がされたと判定し、通信制御部２２を介してさらにネットワークＩ／Ｆ２１を監視してステップＳ１２０にて配信要求がなされたか否かを判別する。すなわち、プロジェクタ３０から配信要求を示すパケットが送信されたか否かを判別する。ステップＳ１２０にて配信要求がなされたと判別されないときには、ステップＳ１２５にてタイムアウトになったか否かを判別し、タイムアウトになったと判別されるまでステップＳ１２０以降の処理を繰り返す。
【００３５】
配信要求がなされたと判別されないままステップＳ１２５にてタイムアウトになったと判別されたときには、ステップＳ１４０にて配信可否設定部２３ａが配信不可の設定をし、上記通信制御部２２に配信不可を示すデータを送信させる。一方、ステップＳ１２０にて配信要求がなされたと判別したときには、ステップＳ１３０にて配信可否設定部２３ａは配信を許可する旨が既に設定されているか否かを判別する。同ステップＳ１３０にて配信を許可する旨が設定されていると判別されないときには、ステップＳ１４０にて上記通信制御部２２に配信不可を示すデータを送信させる。
【００３６】
ステップＳ１３０にて配信を許可する旨が設定されていると判別されたときには、ステップＳ１３５にて上記通信制御部２２に配信許可を示すデータを送信させる。そして、ステップＳ１５０では上記プレゼンテーションプログラム２５の制御によって表示部２６に表示されているプレゼンテーション画面を示す画像データを送信する。このとき、必要に応じて適宜圧縮処理や暗号化処理を行う。ステップＳ１６０ではプレゼンテーションが終了したか否かを判別し、同ステップＳ１６０にてプレゼンテーションが終了したと判別されるまでステップＳ１５０以降の処理を繰り返す。
【００３７】
以上の処理により、プレゼンタＰＣ２０においてはプロジェクタ３０にて投影するプレゼンテーション画像を表示させるための画像データを出力する。また、プロジェクタ３０からクライアントＰＣ４０に対して画像データを配信することが可能であるか否かをプレゼンタＰＣ２０によって設定し、この設定内容を示すデータをプロジェクタ３０に対して送信することになる。プレゼンタＰＣ２０では、この設定内容を示すデータを送信するものの、このデータは一回送信すれば充分であり、通信の負荷として実質的な負荷は画像データの送信負荷のみである。従って、プレゼンタがプレゼンタＰＣ２０を操作しながらプレゼンテーションを実施する際に、プレゼンタＰＣ２０のリソースが低減することを防止し、非常にスムーズにプレゼンテーションを遂行することができる。
【００３８】
（３）プロジェクタでの処理：
次に、プロジェクタ３０におけるプロジェクタ制御プログラム３３の処理を図３に示すフローチャートに従って詳述する。本実施形態においてプロジェクタ３０はプレゼンタＰＣ２０とクライアントＰＣ４０との双方と通信を行う。ステップＳ２００では、プロジェクタ制御プログラム３３が通信制御部３２を介して接続要求を受信したか否か判別する。すなわち、通信制御部３２を介してネットワークＩ／Ｆ３１を監視し、上記プレゼンタＰＣ２０がステップＳ１００にて出力した接続要求を示すパケットが受信されたか否かを判別する。
【００３９】
ステップＳ２００にて接続要求を受信したと判別されたときには、ステップＳ２１０にて通信制御部３２にネットワークＩ／Ｆ３１を介して接続許可を示すパケットを送信させ、上記プレゼンタＰＣ２０に対する接続許可を行う。ステップＳ２２０では、クライアントＰＣ４０に対する画像データの配信が許可されているか否かを判別するため、通信制御部３２にネットワークＩ／Ｆ３１を介して配信要求を示すパケットを送信させる。
【００４０】
この配信要求に対してプレゼンタＰＣ２０は上記ステップＳ１２０にて配信要求があったことを判別し、ステップＳ１３５あるいはステップＳ１４０にて配信の許可あるいは不可を示すデータを送信する。プロジェクタ３０はステップＳ２２５において通信制御部３２を介してネットワークＩ／Ｆ３１を監視し、このデータを受信するとともに配信が許可されているか否かを判別する。ステップＳ２２５にて配信が許可されていると判別されたときにはステップＳ２３０にて配信許可の設定を行い、ステップＳ２２５にて配信が許可されていると判別されないときにはステップＳ２３５にて配信不可の設定を行う。配信許可あるいは不可の設定は種々の構成を採用可能であり、図示しないＲＡＭに配信許可あるいは不可を示すフラグを記憶させておくなどして対応可能である。
【００４１】
配信許可あるいは不可の設定を行うと、プロジェクタ制御プログラム３３はステップＳ２４０にて通信制御部３２にネットワークＩ／Ｆ３１を監視させ、プレゼンテーション画面を示す画像データを受信し、図示しないＲＡＭ内に一時記憶させる。すなわち、受信した各パケットを結合して画像データを取得し、ＲＡＭに記憶させる。ステップＳ２４５ではこの受信した画像データを投影制御部３４に受け渡し、プレゼンテーション画像を投影させる。すなわち、投影制御部３４は、一時記憶された画像データを処理し、必要に応じて適宜圧縮処理や暗号化処理を行うなどして投影部３５で画像を表示可能なデータを生成し、画像を投影させる。
【００４２】
ステップＳ２５０では上記ステップＳ２３０，Ｓ２３５にて設定した内容から配信許可が設定されているか否かを判別する。同ステップＳ２５０にて配信許可が設定されていると判別されたときには、ステップＳ２５５にて通信制御部３２を介してネットワークＩ／Ｆ３１を監視し、クライアントＰＣ４０のいずれかから接続要求を示すパケットが送信されたか否かを判別する。同ステップＳ２５５にてクライアントＰＣ４０のいずれかから接続要求を示すパケットが送信されたと判別したときには、ステップＳ２６０にて接続要求を行ったクライアントＰＣ４０に対して接続許可を行う。すなわち、通信制御部３２にネットワークＩ／Ｆ３１を介して接続許可を示すパケットを送信させる。
【００４３】
続いて、ステップＳ２６５において、上記接続許可を行ったクライアントＰＣ４０に対して上記ＲＡＭ内に一時記憶した画像データを配信する。すなわち、通信制御部３２は当該画像データを適宜パケットに分割し、接続許可済みのクライアントＰＣ４０を宛先とするデータをヘッダに書き込むなどしてネットワークＩ／Ｆ３１を介してこれらのパケットを送信する。ここで、配信する画像データは上述のＲＡＭ内に記憶されたものと同一であるので、投影制御部３４による処理前の状態でデータをそのまま送信することができる。従って、上述の圧縮処理が行われたデータであれば、ネットワークの負荷を抑えた状態で送信することができる。
【００４４】
ステップＳ２６５での画像データ配信を行った場合、あるいはステップＳ２５５にてクライアントＰＣ４０のいずれかから接続要求を示すパケットが送信されていないと判別されたときには、ステップＳ２７０にて上記プレゼンテーションが終了したか否かを判別する。すなわち、通信制御部３２にネットワークＩ／Ｆ３１を監視させ、最終のプレゼンテーション画面を受信したか否かを判別する。同ステップＳ２７０にて上記プレゼンテーションが終了したと判別されるまで上記ステップＳ２４０以降の処理を繰り返す。尚、上記ステップＳ２５０にて配信許可が設定されていると判別されないときには、ステップＳ２７５にて上記プレゼンテーションが終了したか否かを判別する。ステップＳ２７５においてもプレゼンテーションが終了したと判別されなければステップＳ２４０以降の処理を実施する。
【００４５】
以上のように、プロジェクタ３０ではプレゼンタＰＣ２０から画像データを受信してスクリーンに画像を投影する処理を実施するとともに、配信許可が設定されている場合には、接続要求を行ったクライアントＰＣ４０に対して画像データを配信する。クライアントＰＣ４０との通信および画像データの配信はプロジェクタ３０によって行われるので、上記プレゼンタＰＣ２０に与える不可は非常に少ない。また、プロジェクタ３０において画像データを送信する際には上記受信した画像データをそのままクライアントＰＣ４０に対して送信するので、画像データの配信に際して何ら画像処理の負荷がかからずスムーズに送信を行うことができ、クライアントＰＣ４０にてストレスを感じることなくプレゼンテーション画像を視聴することができる。
【００４６】
さらに、画像データの送信に利用される公知の技術としてＲＧＢケーブルや同軸ケーブル等が存在するが、かかる構成によってプロジェクタ３０での画像投影を行う場合、ＲＧＢケーブル等による画像データの送信と機器制御用の双方向通信ケーブルとの２回線が必要である。しかし、本実施形態においては、ネットワークを介して画像データを送信しているので、プレゼンタＰＣ２０とプロジェクタ３０およびプロジェクタ３０とクライアントＰＣ４０を接続するケーブルとしてネットワークケーブルを構成すれば充分である。従って、簡易な構成により画像表示システムを構成することができる。
【００４７】
（４）クライアントＰＣでの処理：
次に、クライアントＰＣ４０における受信制御プログラム４３の処理を図４に示すフローチャートに従って詳述する。本実施形態においてクライアントＰＣ４０はクライアントＰＣ４０と通信を行い、プレゼンタＰＣ２０とは通信を行わない。ステップＳ３００では、受信制御プログラム４３が通信制御部４２を介してプロジェクタ３０に対して接続要求を送信する。すなわち、通信制御部４２にネットワークＩ／Ｆ４１を介して接続要求を示すパケットを送信させる。
【００４８】
ステップＳ３１０では、上記接続要求に対して接続許可がなされたか否かを判別する。すなわち、通信制御部４２を介してネットワークＩ／Ｆ４１を監視し、上記プロジェクタ３０がステップＳ２６０にて出力した接続許可を示すパケットが受信されたか否かを判別する。同ステップＳ３１０で接続許可がなされたと判別されたときには、ステップＳ３２０にてプロジェクタ３０が出力する画像データを受信する。すなわち、通信制御部４２にネットワークＩ／Ｆ４１を監視させ、プレゼンテーション画面を示す画像データのパケットを受信し、これらを結合して画像データを生成するとともに図示しないＲＡＭ内に一時記憶させる。
【００４９】
ステップＳ３４０ではこの受信した画像データを表示制御部４４に受け渡し、プレゼンテーション画像をクライアントＰＣ４０の画面上に表示させる。すなわち、表示制御部４４は、一時記憶された画像データを処理し、必要に応じて適宜圧縮処理や暗号化処理を行うなどして表示部４５で画像を表示可能なデータを生成し、画像を表示させる。そして、ステップＳ３４０にて通信制御部４２にネットワークＩ／Ｆ４１を監視させ、最終のプレゼンテーション画面を受信したか否かを判別することによりプレゼンテーションが終了したと判別されるまで上記ステップＳ３２０以降の処理を繰り返す。
【００５０】
尚、上記ステップＳ３１０にて接続要求に対して接続許可がなされたと判別されないときにはステップＳ３２０以降をスキップし、画像データの受信は行わない。以上のように、クライアントＰＣ４０ではプロジェクタ３０から画像データを受信してプレゼンテーション画面を画面上に表示する。従って、プロジェクタの投影スクリーンから遠い，投影会場が広いなどの原因により視聴者が投影画像を視認しにくい場所にいたとしても視聴者は画像を手元で確実に視聴することができる。
【００５１】
（５）他の実施形態：
上記実施形態は本発明にかかる画像表示システム、プロジェクタ、画像表示方法、プロジェクタ制御方法、画像表示プログラムおよびプロジェクタ制御プログラムを実現する一例であり、むろん他の構成を採用することも可能である。例えば、プレゼンテーション会場内に居る視聴者のクライアントＰＣ４０のみに画像データを配信する構成を採用しても良い。例えば、上記実施形態では配信許可設定のときに接続要求を行った総てのクライアントＰＣ４０に対して接続を許可して画像データを配信していたが、パスワードによって接続許可対象を制限すれば配信先を限定することができる。
【００５２】
図３および図４の破線で囲んだ記述はパスワードによって接続許可対象を制限する構成を実現する場合に図３および図４に付加すべき処理を示しており、図５はこの例における動作例を示す概略図を示している。この例では、図５にプロジェクタ３０からの投影画像として示しているように、プレゼンテーション画面の一部にパスワードを表示しておく。このためにプレゼンタＰＣ２０から送信する画像データはパスワードを表示させるための画像を含むデータであり、プロジェクタ３０はステップＳ２４５の画像投影時にパスワードを表示する。
【００５３】
クライアントＰＣ４０では、ステップＳ３００の接続要求を実施する前にキーボード等の操作入力機器によってパスワードを入力し、ステップＳ３００の接続要求時には接続要求を示すデータとともに当該入力されたパスワードを示すデータを送信する。プロジェクタ３０においては、ステップＳ２６０にて接続許可を実施する前に上記入力されたパスワードを示すデータを取得するとともにこのパスワードをが適正なものであるか否かを判別する。そして、パスワードが適正であると判別されたときにはステップＳ２６０の接続許可処理を行い、パスワードが適正であると判別されないときにはステップＳ２７０の処理を行う。
【００５４】
パスワードが適正であるか否かを判別するためには種々の構成を採用可能である。例えば、予め適正なパスワードを示すデータをプロジェクタ３０の図示しないＲＡＭ等に記憶しておき、当該記憶された適正なパスワードと上記入力されたパスワードとを比較しても良いし、上記ステップＳ２４０にて受信する画像データに含まれるパスワードのデータを抽出して適正なパスワードとしても良く、他にも種々の構成を採用可能である。いずれにしても、以上の構成によってプレゼンテーション会場内で画面を視聴可能な視聴者が適正なパスワードを入力可能になるので、配信先を会場内のクライアントＰＣ４０に限定することが可能になる。
【図面の簡単な説明】
【図１】本発明にかかる画像表示システムの構成図である。
【図２】送信制御プログラムの処理を示すフローチャートである。
【図３】プロジェクタ制御プログラムの処理を示すフローチャートである。
【図４】受信制御プログラムの処理を示すフローチャートである。
【図５】他の実施例における動作例を示す概略図である。
【符号の説明】
１０…画像表示システム，２０…プレゼンタＰＣ，２１…ネットワークＩ／Ｆ，２２…通信制御部，２３…送信制御プログラム，２３ａ…配信可否設定部，２４…ハードディスクドライブ，２４ａ…プレゼンテーションデータ，２５…プレゼンテーションプログラム，２６…表示部，２７…入力装置制御部，３０…プロジェクタ，３１…ネットワークＩ／Ｆ，３２…通信制御部，３３…プロジェクタ制御プログラム，３４…投影制御部，３５…投影部，４０…クライアントＰＣ，４１…ネットワークＩ／Ｆ，４２…通信制御部，４３…受信制御プログラム，４４…表示制御部，４５…表示部
【図１】
2004287160.tif 000003
【図２】
2004287160.tif 000004
【図３】
2004287160.tif 000005
【図４】
2004287160.tif 000006
【図５】
2004287160.tif 000007